(57)【要約】【課題】ピアス本体に対する留め具の取り付けおよび取り外し動作を容易にし、かつピアス本体から留め具が容易に抜け落ちることを防止する。【解決手段】挿通軸１を有するピアス本体２と、挿通軸１に挿通して途中部分にて保持される留め具３とを備えたピアス式装飾品において、留め具３は、挿通軸１を挿通させるための挿通孔６の中に、挿通軸１に圧接可能なコイルスプリング１２を配置している。【選択図】　　　図１
2004065296.tif 000002
【特許請求の範囲】
【請求項１】
挿通軸を有するピアス本体と、上記挿通軸に挿通して途中部分にて保持される留め具とを備えたピアス式装飾品において、
上記留め具は、上記挿通軸を挿通させるための挿通孔の中に、上記挿通軸に圧接可能なコイルスプリングを配置していることを特徴とするピアス式装飾品。
【請求項２】
前記挿通孔は、その一方から順に小径部、当該小径部より径の大きな中径部および当該中径部より径の大きな大径部という３つの区間を有し、前記コイルスプリングは、その一端を、上記小径部と上記中径部との境に形成される段部に当接した状態で上記中径部内に配置されていることを特徴とする請求項１記載のピアス式装飾品。
【請求項３】
前記コイルスプリングは、長手方向における少なくとも一部に、上記挿通軸の外径より小さい内径となっている小内径区間を有していることを特徴とする請求項１または２記載のピアス式装飾品。
【請求項４】
前記挿通軸は、その軸の一部区間の周囲に、その軸内方にへこむ溝部を有することを特徴とする請求項１から３のいずれか１項記載のピアス式装飾品。
【請求項５】
前記コイルスプリングを、ステンレスまたはスプロンで形成したことを特徴とする請求項１から４のいずれか１項記載のピアス式装飾品。
【請求項６】
前記挿通軸を、チタン、チタン合金または金で形成したことを特徴とする請求項１から５のいずれか１項記載のピアス式装飾品。
【請求項７】
前記留め具の外周面部分に、チタン、チタン合金、金または黄銅のいずれかで鍍金を施したことを特徴とする請求項１から６のいずれか１項記載のピアス式装飾品。
【請求項８】
前記コイルスプリングおよび前記挿通軸は、前記留め具を前記挿通軸から引き抜く力が１５Ｎ以下のときには、引き抜けない圧接力で接していることを特徴とする請求項１から７のいずれか１項記載のピアス式装飾品。
【発明の詳細な説明】
【０００１】
【発明の属する技術分野】
本発明は、ピアス式装飾品に関する。
【０００２】
【従来の技術】
図３は、従来のピアス式装飾品を示す平面図である。図３に示すように、従来のピアス式装飾品は、挿通軸３１を有するピアス本体３２と、挿通軸３１を内部に挿通させ当該挿通軸３１の途中部分にて保持される留め具３３から構成される。留め具３３は、板状の金属部材の両端部を中央に向かって丸め、側面から見て輪となるように形成された２つの湾曲部３４を有している。これらの両湾曲部３４は、留め具３３の平面部３５に形成された挿通孔（図示省略）に挿通された挿通軸３１を、対向する部位３４ａ，３４ａにて挟む。これによって、留め具３３は、挿通孔内と、上述の対向する部位３４ａ，３４ａにより、挿通軸３１の所望の途中位置に保持される。
【０００３】
【発明が解決しようとする課題】
上述のピアス式装飾品は、挿通軸３１の外径に対する、留め具３３の挿通孔の内径および対向する部位３４ａ，３４ａ間の隙間の各寸法精度を高めることにより、留め具３３の挿通軸３１に対する保持力の適正化を図る必要がある。しかし、その保持力の調節は難しいものとなっている。保持力を強目に設定すると、留め具３３が挿通軸３１に挿入しづらいものとなったり、あるいは挿入できなくなる。逆に、留め具３３の挿通孔の内径および対向する部位３４ａ，３４ａ間の隙間の各寸法を、挿通軸３１の外形寸法に対して広くし、その保持力を弱目に設定すると、留め具３３が、挿通軸３１から抜け落ちやすくなり、高価な装飾品を紛失してしまうという問題が生じる。
【０００４】
本発明の目的は、上述の問題点に鑑みて、ピアス本体に対する留め具の取り付けおよび取り外し動作を容易にし、かつピアス本体から留め具が容易に抜け落ちることを防止するピアス式装飾品を提供することにある。
【０００５】
【課題を解決するための手段】
かかる目的を達成するため、本発明は、挿通軸を有するピアス本体と、挿通軸に挿通して途中部分にて保持される留め具とを備えたピアス式装飾品において、留め具は、挿通軸を挿通させるための挿通孔の中に、挿通軸に圧接可能なコイルスプリングを配置している。
【０００６】
上述の発明によれば、留め具を挿通軸へ嵌め込む際には、コイルスプリングの巻回方向に留め具を回転させながら挿通軸へ挿入していくことにより、内部のコイルスプリングが拡開し、ある程度、留め具をスムーズに進入させていくことができる。一方、留め具が挿通軸に一旦保持されると、挿通孔内に配置されたコイルスプリングが挿通軸に圧接する。このため、留め具が挿通軸に対してしっかりと保持され、抜け落ちにくいものとなる。
【０００７】
また、他の発明は、上述のピアス式装飾品において、挿通孔は、その一方から順に小径部、当該小径部より径の大きな中径部および当該中径部より径の大きな大径部という３つの区間を有し、コイルスプリングは、その一端を、小径部と中径部との境に形成される段部に当接した状態で上記中径部内に配置されている。そのため、留め具を製造する際において、コイルスプリングを挿通孔内に嵌め込む作業が容易となる。
【０００８】
また、他の発明は、上述の各ピアス式装飾品において、コイルスプリングは、長手方向における少なくとも一部に、挿通軸の外径より小さい内径となっている小内径区間を有している。そのため、さらに留め具の挿通軸に対する保持力を高めることができる。
【０００９】
また、他の発明は、上述の各ピアス式装飾品において、挿通軸は、その軸の一部区間の周囲に、その軸内方にへこむ溝部を有している。そのため、万が一、留め具が挿通軸に沿って滑って、留め具が挿通軸から外れそうになっても、コイルスプリング溝部が嵌り込み、外れを防止できる。
【００１０】
また、他の発明は、上述の各ピアス式装飾品において、コイルスプリングを、ステンレスまたはスプロンで形成している。そのため、留め具の内部に配置されたコイルスプリングに錆が発生しにくく、長期間にわたって品質を保持することができる。
【００１１】
また、他の発明は、上述の各ピアス式装飾品において、挿通軸を、チタン、チタン合金または金で形成している。そのため、挿通軸を身体に挿通しても、金属アレルギーが発症しない。
【００１２】
また、他の発明は、上述の各ピアス式装飾品において、留め具の外周面部分に、チタン、チタン合金、金または黄銅のいずれかで鍍金を施している。そのため、取り付けおよび取り外し時に、指で接触する操作部位となる留め具の外周部に錆等が発生しにくくなる。
【００１３】
また、他の発明は、上述の各ピアス式装飾品において、コイルスプリングおよび挿通軸は、留め具を前記挿通軸から引き抜く力が１５Ｎ以下のときには、引き抜けない圧接力で接している。そのため、留め具の保持力が適度であり、指で留め具を取り付ける際および取り外す際に、利用者がそれほどストレスを感じずに済む。
【００１４】
【発明の実施の形態】
以下、本発明に係るピアス式装飾品の実施の形態を、図面に基づいて詳細に説明する。
【００１５】
図１は、本発明のピアス式装飾品の断面図である。図２は、ピアス式装飾品を構成する留め具を分解した状態の断面図である。ピアス式装飾品は、挿通軸１を有するピアス本体２と、挿通軸１を内部に挿通させ、この挿通軸１の途中部分にて保持される留め具３とを有している。
【００１６】
ピアス本体２は、挿通軸１と、挿通軸１の一端に形成された装飾品取り付け部４と、この装飾品取り付け部４に取り付けられる宝石５とから構成されている。挿通軸１は、チタン、チタン合金または金のいずれかで形成されていることが好ましい。挿通軸１は、ピアシング（孔を開けること）された耳等の身体の一部に挿通される部材である。この挿通軸１が、上述の金属のうちのいずれかで形成されていると、身体に金属アレルギーが発生しにくい。ただし、挿通軸１の材質は、上述のものに限定されるものではない。
【００１７】
宝石５の反対側にあたる挿通軸１の他端は、留め具３を挿通しやすいように、湾曲部１ｂが形成されている。この挿通軸１の湾曲部１ｂがある側の端部は、留め具３を出し入れする先端部位となる。挿通軸１の湾曲部１ｂ近傍には、周方向の全周にわたり、深さ０．０２ｍｍ程度の凹状の溝部１ａが２つ形成されている。これらの溝部１ａは、湾曲部１ｂ側から挿入される留め具３の外れ防止用の部位として形成されたものである。なお、この溝部１ａは、必ずしも、形成されなくても良い。さらに、溝部１ａは、挿通軸１の全周ではなく、半周等の３６０度以下にわたって形成されていても良い。
【００１８】
留め具３は、挿通軸１に挿通されて、その途中部分にて保持され、ピアス本体２が耳等の孔から外れないようにするための部材である。留め具３は、挿通軸１を挿通させるための挿通孔６を有している。挿通孔６は、小径部７、中径部８および大径部９の径の異なる３つの区間から構成されている。また、小径部７の軸方向において中径部８と反対側となる端部側には、小径部７に向かって徐々に内径が狭くなるように形成された円錐状部１０が形成されている。
【００１９】
図２に示すように、小径部７の内径Ｗ１は、挿通軸１の外径Ｗ（図１参照）の約１１１％の寸法に設定されている。中径部８の内径Ｗ２は、小径部７の内径Ｗ１より大きく、挿通軸１の外径Ｗの約１４４％の寸法に設定されている。小径部７と中径部８との境には、段部１１が形成されている。中径部８の内面には、挿通孔６内に挿入される挿通軸１を所定の力で圧接可能なコイルスプリング１２が配置される。このコイルスプリング１２は、大径部９側から挿入され、その一端を段部１１に当接した状態で配置される。本実施の形態では、コイルスプリング１２は、ステンレスまたはスプロンで形成されるが、特にこれらの材料に限定されるものではない。
【００２０】
コイルスプリング１２の外径（後に説明する小内径区間１２ａ以外の部分の外径）は、中径部８の内径Ｗ２より若干小さいものとなっている。また、コイルスプリング１２の長手方向の寸法（長さ）は、中径部８の軸方向の長さとほぼ同じ寸法である。コイルスプリング１２の長手方向における略中間部分には、挿通軸１の外径Ｗより小さい内径を有する小内径区間１２ａが設けられている。図１に示すように、小内径区間１２ａの内径Ｗ４は、コイルスプリング１２の他の区間の内径Ｗ５よりも約０．１３ｍｍ小さく設定されており、挿通軸１の外径Ｗより約０．１ｍｍ程度小さく設定されている。一方、コイルスプリング１２の他の区間の内径Ｗ５は、挿通軸１の外径Ｗより約０．０３ｍｍ大きく設定されている。
【００２１】
このように小内径区間１２ａとそれ以外の区間の内径の差を約０．１３ｍｍとすると、留め具３を挿通軸１に着脱する際に、１５Ｎ程度の弱い力で着脱することができる。なお、本実施の形態では、小内径区間１２ａは、全部で１０回巻かれているうちの５巻回分の区間であるが、３巻回分あるいはそれ以外の数の巻回分としても良い。
【００２２】
また、大径部９の内径Ｗ３は、中径部８の内径Ｗ２よりさらに大きく、挿通軸１の外径Ｗの約２６７％の寸法に設定されている。中径部８と大径部９との境には、段部１８が形成されている。大径部９には、段部１８に端面１３ａを当接するようにキャップ部材１３が嵌め込まる。コイルスプリング１２は、このキャップ部材１３の端面１３ａの周方向内側に突出している部分に当接する。キャップ部材１３は、挿通孔６の入り口部分に形成されている突起６ａを折り曲げることにより、挿通孔６内にカシメ固定される。したがって、コイルスプリング１２は、キャップ部材１３と段部１１により、挿通孔６内に閉じこめられる。
【００２３】
キャップ部材１３は、挿通軸１を挿通させるための挿通孔１４を備えている。この挿通孔１４の内径の寸法は、上述したコイルスプリング１２の広い部分の内径Ｗ５とほぼ同一の寸法である。また、キャップ部材１３における挿通軸１の挿入側には、内部に向かって徐々に内径が狭くなる円錐状部１５が形成されている。この円錐状部１５は、挿通軸１の出入り口部分となる。
【００２４】
キャップ部材１３における挿通軸１の挿入側の端面１３ｂの外周縁には、溝１３ｃが形成されている。この溝１３ｃは、挿通孔６の入り口に設けられた突起部６ａが折られて嵌り込む部位である。この溝部１３ｃに突起部６ａが折り曲げられて進入することにより、段部１８と突起部６ａとの間に、キャップ部材１３がカシメ固定される。
【００２５】
また、留め具３の外周面には、ローレット１９が形成されている。また、留め具３の軸方向中央部分には、軸中心方向に向かってえぐられた凹部２０が形成されている。また、留め具３の軸方向両端の外縁部分には、傾斜面２１が設けられている。
【００２６】
ローレット１９は、留め具３をピアス本体２へ取り付ける際、あるいはピアス本体２から留め具３を取り外す際において、指で留め具３を回転させる動作における滑り止めの役割を有している。凹部２０は、留め具３をピアス本体２へ取り付ける際、あるいはピアス本体２から留め具３を取り外す際、あるいはそれ以外の時に留め具３を持つ場合に、指が引っかかりやすく持ちやすくするための部位である。加えて、凹部２０は、留め具３全体の軽量化にも寄与する。
【００２７】
傾斜面２１は、留め具３の軸方向における両端部の外周縁を尖らせない形状とすることにより、留め具３を持ちやすく、しかも持つ場合に怪我をしないように配慮された形状としたものである。このように形成された留め具３の外周面部分には、金属アレルギー防止の観点から、チタン、チタン合金、金または黄銅のいずれかによる鍍金が施されている。なお、これらの留め具３の外周面に関する構成は、特に上述の構成に限定されるものではない。
【００２８】
以下に、留め具３を挿通軸１へ取り付ける際の動作を説明する。
【００２９】
まず、留め具３を、コイルスプリング１２の巻回方向に回転させながら、図１の矢示Ｘ方向に移動させ、ピアス本体２の挿通軸１の湾曲部１ｂから挿通する。このとき、留め具３の挿通孔６内に配置されているコイルスプリング１２の小内径区間１２ａの内周面は、挿通軸１の外周面を圧接する。
【００３０】
これによって、コイルスプリング１２と挿通軸１との間に摩擦力が発生し、挿通軸１によってコイルスプリング１２の回転を阻止する力が発生する。しかし、コイルスプリング１２には弾性があり、しかもコイルスプリング１２の端部が段部１１に当接している。このため、この回転動作による摩擦力を受けて、コイルスプリング１２全体の内径を広げる力が発生する。この結果、留め具３は、挿通軸１との間の摩擦力に抵抗して、挿通軸１に挿通される。
【００３１】
留め具３を挿通軸１の根元に向かって挿通していくと、コイルスプリング１２の小内径区間１２ａは、挿通軸１の溝部１ａに嵌り込む。さらに、留め具３を挿通軸１の内部に押し込んでいくと、コイルスプリング１２がその弾性を活かして溝１ａ，１ａを乗り越え、留め具３は、さらに挿通軸１の根元へと進む。
【００３２】
留め具３を溝部１ａ，１ａの奥側の所定の位置（この位置は装着する人の耳朶の厚さや装着のフィット感の個人差等により異なる）まで移動させた後、留め具３の移動を停止させる。すなわち、指等により留め具３を回転させながら奥側へ移動させる動作を止める。これにより、留め具３内のコイルスプリング１２の小内径区間１２ａが挿通軸１の外周面に圧接され、留め具３は挿通軸１に保持される。
【００３３】
したがって、留め具３を挿通軸１から外す方向に抜き取ろうとしても、簡単に抜き取ることはできない。また、留め具３を引き抜く力が大きく、留め具３が挿通軸１の先端側へ引き抜かれていっても、挿通軸１の端部近傍に形成された２つの溝１ａ，１ａ内にコイルスプリング１２が嵌り込む。
【００３４】
このため、留め具３が挿通軸１から抜け落ちてしまうことを防止することができる。なお、コイルスプリング１２の圧接力は、留め具３を回転させながら抜き取り方向へ力を加えたとしても、その力が１５Ｎ以内であれば留め具３が保持されている位置から移動できず、抜き取られないように設定されている。また、留め具３をストレートに引き抜こうとした場合には、さらに抵抗が大きく、上述の１５Ｎの数倍から数十倍の力で引き抜こうとしても、留め具３は引き抜かれない。
【００３５】
コイルスプリング１２の圧接力は、小内径区間１２ａにおける内径Ｗ４の寸法と挿通軸１の外径Ｗとの関係、コイルスプリング１２における小内径区間１２ａとそれ以外の区間の内径の差、小内径区間１２ａの巻回数、コイルスプリング１２の材質、およびそのバネ弾性力によって調節可能である。
【００３６】
一方、留め具３をピアス本体２の挿通軸１から抜き取る場合には、留め具３を上述した取り付け時の方向と反対方向に回転させながら、抜き取り方向（図１における矢示Ｘ方向の反対の方向）に移動させる。
【００３７】
このとき、コイルスプリング１２の小内径区間１２ａの内周面と、挿通軸１の外周面との間に摩擦が発生し、コイルスプリング１２の回転を阻止する力が発生する。しかし、コイルスプリング１２には弾性があり、しかもコイルスプリング１２の端部がキャップ部材１３の一側の端面１３ａに当接しているため、この回転動作による摩擦力を受けて、コイルスプリング１２全体の内径を広げる力が発生する。この結果、留め具３は、挿通軸１との間の摩擦力による抵抗が生じながらも同時に滑りも生じ、挿通軸１に対して上述の挿入時の方向とは反対方向へ回転させながら軸方向に移動することができる。
【００３８】
留め具３を挿通軸１の端部近傍まで移動させると、コイルスプリング１２の小内径区間１２ａは、挿入時と同様、挿通軸１の溝部１ａ，１ａ内に嵌り込む。しかし、上述したように、コイルスプリング１２と挿通軸１との間には滑りが生じるため、これらの溝１ａ，１ａをコイルスプリング１２がその弾性を活かして乗り越えながら、留め具３はさらに先端側へと進むことができる。このようにして、留め具３は挿通軸１から取り外される。なお、留め具３の外周面にはローレット１９および凹部２０が形成されているため、指で留め具３を回転させる際には、ローレット１９および凹部２０が滑り止めになる。
【００３９】
次に、留め具３の製造方法について、図２を用いて説明する。
【００４０】
まず、留め具３の本体に形成された挿通孔６の大径部９から図２における矢示Ｙ方向にコイルスプリング１２を挿入する。すると、コイルスプリング１２の一端が段部１１に当接する。これにより、コイルスプリング１２は、中径部８の内側に配置される。
【００４１】
次に、大径部９の入り口から、矢示Ｙ方向にキャップ部材１３を挿入させる。すると、キャップ部材１３の一側の端面１３ａの外周側が、段部１８に当接する。また、同時に、キャップ部材１３の一側の端面１３ａの内周側の突出している部分には、中径部８内に配置されたコイルスプリング１２の他端が当接する。
【００４２】
次に、留め具３の本体に形成された突起部６ａを半径方向内側に折り曲げる。これにより、突起部６ａが、キャップ部材１３に形成された溝部１３ｃに嵌り込む。すなわち、キャップ部材１３を挿通孔６内にカシメ固定する。この結果、挿通孔６の内部には、コイルスプリング１２およびキャップ部材１３が封入される。
【００４３】
なお、上述の実施の形態は、本発明の好適な実施の形態の例であるが、これに限定されるものではなく、本発明の要旨を逸脱しない範囲において種々変形実施可能である。例えば、上述の実施の形態では、挿通孔６内が径の異なる３つの区間（小径部７、中径部８および大径部９）を備えているが、このような形状は必須ではない。例えば、段部１１の代わりに凸部を設け、この凸部にコイルスプリング１２の一端を当接させるようにしても良い。また、中径部８と大径部９とが連続する部分を、ストレートの孔で形成しても良い。この場合、上述の実施の形態とは異なり、大径部９内全体に嵌め込まれるキャップ部材を採用せず、挿通孔６の端部部分にのみ嵌め込まれるキャップ部材を採用するのが好ましい。
【００４４】
また、上述の実施の形態では、コイルスプリング１２の小内径区間１２ａの内径Ｗ４を挿通軸１の外径Ｗより若干小さく、コイルスプリング１２のその他の区間の内径Ｗ５を挿通軸１の外径Ｗより若干大きく設定して、留め具３の軸方向への移動をスムーズにしている。しかし、コイルスプリング１２の内径を全区間に渡って一律として、小内径区間１２ａを設けない構成としても良い。その場合には、コイルスプリング１２の内径の寸法を、挿通軸１の外径の寸法とほぼ同じ、あるいは若干小さく設定することが好ましい。
【００４５】
【発明の効果】
以上説明したように、本発明によれば、ピアス本体に対する留め具の取り付けおよび取り外し動作を容易にし、かつピアス本体から留め具が容易に抜け落ちることを防止することが可能である。
【図面の簡単な説明】
【図１】本発明の実施の形態のピアス式装飾品の断面図である。
【図２】本発明の実施の形態のピアス式装飾品の留め具の製造方法を説明するための図で、留め具を分解した状態の断面図である。
【図３】従来のピアス式装飾品を示す平面図である。
【符号の説明】
１　挿通軸
１ａ　溝部
２　ピアス本体
３　留め具
６　挿通孔
７　小径部
８　中径部
９　大径部
１１　段部
１２　コイルスプリング
１２ａ　小内径区間
１３　キャップ部材
【図１】
2004065296.tif 000003
【図２】
2004065296.tif 000004
【図３】
2004065296.tif 000005